(57)【要約】      （修正有）【課題】容器の正面から見て、主たる表示全体を消費者に見せることができる首掛けラベルを提供する。【解決手段】シートに形成された装着孔を容器９の首部９２に外挿することにより、容器９に装着される首掛けラベル１であって、容器９の首部９２に外挿可能な装着孔がシートの面内に形成されている本体シート片２と、本体シート片２の装着孔の縁４ａの一部に於いて連結され且つ前記装着孔側へと延びる延出シート片３と、を有し、前記延出シート片３の裏面には、容器９の蓋部９１の上面に接着可能な接着部５が設けられている。【選択図】図５
2008233633.tif 000002
【特許請求の範囲】
【請求項１】
シートに形成された装着孔を容器の首部に外挿することにより、容器に装着される首掛けラベルであって、
容器の首部に外挿可能な装着孔がシートの面内に形成されている本体シート片と、本体シート片の装着孔の縁の一部に於いて連結され且つ前記装着孔側へと延びる延出シート片と、を有し、前記延出シート片の裏面には、容器の蓋部の上面に接着可能な接着部が設けられていることを特徴とする首掛けラベル。
【請求項２】
本体シート片の裏面のうち、前記延出シート片の連結部分と反対側における装着孔の縁部から本体シート片の外縁部にかけての裏面領域の全体又は一部に、容器に接着可能な接着部が設けられている請求項１に記載の首掛けラベル。
【請求項３】
首部と該首部の上方に設けられた蓋部とを有し且つ首部及び蓋部の間に段部を有する容器に、請求項１に記載の首掛けラベルが装着されているラベル付き容器であって、
容器の蓋部の上面に首掛けラベルの延出シート片が貼り付けられていると共に、容器の首部に首掛けラベルの装着孔が外挿されて容器の首部周りに本体シート片が位置されており、容器の段部に、首掛けラベルの装着孔の縁部の少なくとも一部が係止されていることを特徴とするラベル付き容器。
【発明の詳細な説明】
【技術分野】
【０００１】
本発明は、商品の宣伝広告効果を高めるために、容器の首部に装着される首掛け用ラベルに関する。
【背景技術】
【０００２】
従来、商品の宣伝広告効果を高めるために、商品名、懸賞案内などを表示した首掛けラベルを、容器の首部に装着することが行われている。
【０００３】
例えば、特許文献１には、多角形の基板と、この基板の各辺に連設された張出片とを備え、基板に、容器の首部よりも小さな装着孔が形成されていると共に、各頂部を挟んで隣接する２辺から装着孔までそれぞれ延びる切目が形成されており、この切目によって、各張出片にそれぞれ連設された状態の複数の舌片が装着孔の周囲に形成されている首掛けラベルが開示されている。
この首掛け用ラベルは、装着孔を容器の首部に外挿することにより、その張出片が容器の肩部に沿って傾斜した状態で、容器に装着される。該首掛けラベルは、容器の肩部全体（容器の周方向）に沿って張出片が位置しているので、容器の周囲全体に亘って張出片の表示を見せることができる。
【０００４】
また、特許文献２には、シート状物にコの字形状または湾曲形状の切込みを入れ、切込みの両端を結ぶ折り目を形成して、切込みと折り目とで囲まれた舌片部を折り曲げ可能に形成した首掛けラベルが開示されている。
この首掛けラベルは、切込みと折り目とで囲まれた舌片部を上方へ折り曲げ、該舌状部の折り曲げによって形成された開口部を、容器の首部に外挿することにより、容器に装着される。該首掛けラベルは、首掛けラベルの表面部分が見えにくくても、舌状部が立ち上っているので、舌状片の表示の視認性が向上する。
【特許文献１】特開２００２−９１３０９号公報
【特許文献２】特開２００１−１６６６９１号公報
【発明の開示】
【発明が解決しようとする課題】
【０００５】
しかしながら、特許文献１の首掛けラベルは、張出片が容器の周囲に存する各肩部に沿っている。従って、容器の正面から見て、容器正面の肩部に沿っている張出片の表示は見えるが、容器背面の肩部に沿っている張出片の表示は見えない。このため、容器の向きを変えないと、消費者は全ての表示を見ることができない。従って、この首掛けラベルは、容器の正面から、全ての表示を消費者に見せることができないという問題点がある。
また、特許文献２の首掛けラベルは、舌状部が上方に立ち上がっているが、（大面積の部分である）首部に外挿された首掛けラベルは、ほぼ水平である。従って、容器正面から、大面積部分である首掛けラベルの表面部分の表示を消費者に見せ難いという問題点がある。
【０００６】
そこで、本発明の目的は、容器の正面から見て、主たる表示全体を消費者に見せることができる首掛けラベル、及びラベル付き容器を提供することである。
【課題を解決するための手段】
【０００７】
本発明の首掛けラベルは、シートに形成された装着孔を容器の首部に外挿することにより、容器に装着される首掛けラベルであって、容器の首部に外挿可能な装着孔がシートの面内に形成されている本体シート片と、本体シート片の装着孔の縁の一部に於いて連結され且つ前記装着孔側へと延びる延出シート片と、を有し、前記延出シート片の裏面には、容器の蓋部の上面に接着可能な接着部が設けられていることを特徴とする。
【０００８】
上記首掛けラベルは、容器の蓋部上面に、接着部を介して延出シート片を貼り付けると共に、本体シート片を下方に押し込んで本体シート片の装着孔を容器の蓋部を経由しつつ容器の首部に外挿して、本体シート片を容器の首部周りに位置させることにより、容器に装着される。
上記首掛けラベルは、延出シート片が、装着孔の縁の一部に連結されているので、押し下げられた本体シート片は、延出シート片との連結部分が比較的下がらずに上方に位置し、延出シート片の連結部分と反対側の部分が、下方に位置する。従って、本体シート片の面は、全体として容器の首部の軸線方向に対して傾斜する。このように本体シート片が傾斜面状に装着されるので、上記首掛けラベルは、容器の正面から見て、本体シート片の表面に施された表示全体を消費者に見せることができる。
また、本発明の首掛けラベルは、上記のように、延出シート片を容器の蓋部に貼り付け且つ本体シート片を押し下げるだけで容器に装着できるので、装着作業も簡易に行える。
【０００９】
さらに、本発明の好ましい首掛けラベルは、上記本体シート片の裏面のうち、延出シート片の連結部分と反対側における装着孔の縁部から本体シート片の外縁部にかけての裏面領域の全体又は一部に、容器に接着可能な接着部が設けられているものである。
かかる好ましい首掛けラベルは、容器に装着時、本体シート片の接着部を介して、延出シート片の連結部分と反対側に於ける本体シート片の裏面領域が、容器の首部（又は容器の肩部）に貼り付けられる。このため、押し下げられて容器の首部周りに位置する本体シート片が、容器の首部から不用意に外れる虞がなく、本体シート片を、傾斜面状に確実に維持できる。
【００１０】
また、本発明のラベル付き容器は、首部と該首部の上方に設けられた蓋部とを有し且つ首部及び蓋部の間に段部を有する容器に、上記首掛けラベルが装着されているラベル付き容器であって、容器の蓋部の上面に首掛けラベルの延出シート片が貼り付けられていると共に、容器の首部に首掛けラベルの装着孔が外挿されて容器の首部周りに本体シート片が位置されており、容器の段部に、首掛けラベルの装着孔の縁部の少なくとも一部が係止されていることを特徴とする。
かかるラベル付き容器は、容器の蓋部の上面に首掛けラベルの延出シート片が貼り付けられていると共に、容器の首部に首掛けラベルの装着孔が外挿されて容器の首部周りに本体シート片が位置されているので、上記と同様に、本体シート片が傾斜面状となっている。
さらに、首掛けラベルの装着孔の縁部の少なくとも一部が、容器の段部に係止されているので、本体シート片が、容器の首部から不用意に外れる虞がない。よって、装着された首掛けラベルの本体シート片を、傾斜面状に確実に維持できる。
【発明の効果】
【００１１】
本発明の首掛けラベル及びラベル付き容器は、容器の正面から見て、本体シート片の表面に施されたほぼ全ての表示を、消費者に見せることができる。
従って、本発明の首掛けラベル及びラベル付き容器は、容器を陳列棚などに置いた状態で、消費者の視覚に訴えて注意を喚起でき、宣伝広告効果に優れている。
【発明を実施するための最良の形態】
【００１２】
以下、本発明の課題解決手段について、図面を参照しつつ具体的に説明する。
図１〜図４に於いて、１は、１枚のシート６を所定形状に形成した首掛けラベルを示す。該首掛けラベル１は、シート６の面内に容器の首部に外挿可能な装着孔４が形成された構成からなり、装着孔４の形成された本体シート片２と、前記装着孔４内に延設された延出シート片３と、を有する。該延出シート３の裏面には、接着部５が設けられている。なお、装着孔４については、図４にのみ符号を示している。
【００１３】
首掛けラベル１を構成するシート６は、シートとしての剛性と可撓性を有するものであれば特に限定されず、紙、厚紙、合成紙、合成樹脂シート、合成樹脂発泡シート、これらの積層体、これらと他のシートの積層体などを用いることができる。通常、首掛けラベル１を構成するシート６は、コスト面から、紙または合成樹脂シートが用いられる。紙を用いる場合には目付量６０〜１５０ｇ／ｍ２程度のものが好ましい。合成樹脂シートを用いる場合には、３０μｍ〜１５０μｍ程度のものが好ましい。
【００１４】
本体シート片２の外形は、図示したような、平面視略円形状、その他、図示しないが、平面視略楕円状、同略矩形状、同略三角形状などの適宜な形状に形成できる。
本体シート片２の大きさは特に限定されないが、好ましくは、首掛けラベル１を容器に装着した際に、本体シート片２の縁が、容器胴部の外側へ出ないような大きさに形成されていることが好ましい。装着時に本体シート片２が容器の胴部から出ていると、容器の保管・搬送の際に、隣合う容器の本体シート片２同士が干渉し合い、本体シート片２が歪む虞があるからである。このような点から、本体シート片２の大きさ（最大長さ。本体シート片２が略円形状の場合には直径）は、容器の胴部の直径と略同程度、または、胴部の直径よりも短いものが好ましい。
【００１５】
本体シート片２は、シート６の面内に有端状の切取線７を形成することにより、容器の首部に外挿するための装着孔４が形成されている。この本体シート片２の装着孔４の縁の一部４ａ（一縁部）には、装着孔４の中心方向に向かって延設された延出シート片３が連結されている。該延出シート片３は、連結部分４ａ（上記装着孔４の一縁部）を介して折り曲げ自在である。
【００１６】
具体的には、１枚のシート６の面内に、有端状の切取線７が形成され、該切取線７で囲われる内側シート領域が延出シート片３とされ、該切取線７の外側シート領域が本体シート片２とされている。
この切取線７に沿って延出シート片３を本体シート片２から分離し、該延出シート片３を、連結部分４ａを介して折り曲げることにより、図４に示すように、該延出シート片３が存在した部分に、装着孔４が形成される。
【００１７】
上記切取線７の平面形状は、容器の首部に外挿可能な装着孔４を形成できるものであれば特に限定されず、本実施形態では、平面視略Ｕ字状に形成されている。
詳しくは、切取線７は、容器の蓋部の上面（図１に於いて、二点鎖線で示す）の円弧に略一致する半円弧状の第１切取線部７１と、該第１切取線部７１に連設され且つ一方向に直線状に延びる２つの第２切取線部７２，７２と、を有する。該第２切取線部７２の各端部は、切取線７の両端部７ａ，７ａを構成している。この切取線７の両端部７ａ，７ａは、シート６（本体シート片２）の縁にまで至らず、従って、延出シート片３は、切取線７の両端部７ａ，７ａの間に於いて本体シート片２に連結されている。
なお、第１切取線部７１は、本体シート片２の略中心部に装着孔４が形成されるように、シート６の中央部分に配設されていることが好ましい。また、第２切取線部７２の端部は、延出シート片３の引裂き防止のために、第１切取線部７１と反対側に小さく弧を描いた平面視半円弧状に形成されていることが好ましい。
上記切取線７に従って、延出シート片３を本体シート片２から分離して起きあがらせることにより、図４に示すように、本体シート片２の面内に装着孔４が形成される。
【００１８】
図１に於いて、上記延出シート片３の長さＬ（第１切取線部７１の頂部７１ａから第２切取線部７２の端部７ａまでの長さ）は、特に限定されないが、好ましくは容器の蓋部の直径よりも長く形成される。延出シート片３の長さＬを比較的長く形成することにより、首掛けラベル１を容器に装着した際、本体シート片２の表面と容器の首部の軸線方向との成す角（傾斜角）が大きくなる。一方、延出シート片３の長さを比較的短く形成することにより、本体シート片２の表面と容器の首部の軸線方向との成す角が小さくなる（この場合、本体シート片２の立ち上がり度合いが大きくなる）。このように本体シート片２の前記傾斜角が小さくなると、ラベル付き容器を正面から見たとき、本体シート片２の表面がより見え易くなることから、延出シート片３の長さＬは、比較的短く形成されていることが好ましい。かかる好ましい延出シート片３の長さＬは、（容器の蓋部上面の直径＋５ｍｍ〜２０ｍｍ）程度である。
【００１９】
次に、上記切取線７としては、切込み線、長状切り目線、ミシン目線、ハーフカット線などが挙げられ、これらは単独でまたは適宜組み合わせて用いることができる。
切込み線は、シートの厚み方向に貫通する切り目が線状に繋がった切断線であり、該切込み線が形成された部分におけるシートは、完全に左右に分離される。
長状切り目線は、シートの厚み方向に貫通する切り目が線状に繋がった長い切断線を有し、隣合う切断線の間に短い非切断部が残されているものである。長状切り目線は、前記切込み線と近似しているが、切断線の一部分に僅かに非切断部を残しているので、ラベル供給時には、シートは完全に分離されない。なお、この長状切り目線を用いた場合には、首掛けラベル１を装着すべく、延出シート片３を容器の蓋部に貼り付けると共に、本体シート片２を下方に押し下げると、長状切り目線の非切断部が切れ、長状切り目線に沿って延出シート片３を本体シート片２から分離することができる。
ミシン目線は、ミシン針の縫い目跡の如く、シートの厚み方向に貫通する貫通孔が断続的に刻設された線である。切取線としてミシン目線を用いる場合には、その形成部分を極めて容易に分断できることから、所謂マイクロミシン目（貫通孔の長さと非貫通部の長さが、それぞれ０．３ｍｍ〜０．８ｍｍ程度のもの）が好ましい。ミシン目線を用いた場合も同様に、首掛けラベル１を装着する際に、ミシン目線に沿って延出シート片３を本体シート片２から分離することができる。
ハーフカット線は、（シートを貫通せず）シートの厚み方向に略Ｖ字状に切り込んだ刻み部が連続する線である。ハーフカット線を用いた場合も同様に、首掛けラベルを装着する際に、ハーフカット線に沿って延出シート片３を本体シート片２から分離することができる。
本発明では、形成容易で、且つ切取り性にも優れていることから、切取線としては、切込み線、長状切り目線、又は／及びミシン目線を用いることが好ましく、さらに、長状切り目線を用いることがより好ましい。
【００２０】
次に、上記延出シート片３の裏面には、容器の蓋部の上面に延出シート片３を貼り付けるための接着部５が設けられている。該接着部５は、好ましくは容器の蓋部の上面にのみ対応する範囲に形成される。本実施形態では、接着部５は、第１切取線部７１近傍の内側であって、該第１切取線部７１の円弧よりも直径が小さい平面視円形状の範囲に形成されている。
【００２１】
上記接着部５は、例えば、感圧型粘着剤、感熱性粘着剤などの各種粘着剤の塗工によって形成できる。感圧型粘着剤は、一般に、剥離可能で且つ再貼付可能な粘着テープに用いられているものであり、アクリル系、ウレタン系、ゴム系などの粘着剤等が挙げられる。感熱性粘着剤は、室温で粘着性を示さず、所定温度（例えば、７０℃〜１２０℃程度）に加熱することで粘着性を発現する粘着剤であり、ディレードタック型感熱粘着剤、ホットメルト型粘着剤などが挙げられる。
なお、本発明において粘着剤とは、一般に接着剤と呼ばれているものを含む意味である。
【００２２】
例えば、感圧型粘着剤を用いる場合に於いて、上記延出シート片３の接着部形成領域に、感圧型粘着剤を部分的に塗工することによって、上記接着部５を形成することもできるが、本実施形態では、次のようにして、接着部５が形成されている。
図３に示すように、シート６（本体シート片２及び延出シート片３）の裏面全体に、感圧型粘着剤を実質的にベタ状に塗工して粘着剤層５１が積層され、その粘着剤層５１の上に、接着部形成領域を除いて、マスキング層５２が積層される。かかる構成により、マスキング層５２によって覆われない部分に於いて粘着剤層５１が露出するから、延出シート片３の裏面に接着部５を部分的に形成できる。
上記マスキング層５２は、粘着剤層５１の粘着力を隠蔽するために施され、この機能を有するものであれば、その形成材料は特に限定されない。該マスキング層５２の形成材料としては、印刷によって所望の範囲に簡易に塗工でき、取扱い性にも優れていることから、紫外線硬化型インキなどの印刷インキを用いることができる。
【００２３】
また、本発明の首掛けラベル１は、主として宣伝広告目的で使用されることから、本体シート片２の表面（及び延出シート片３の表面）に、商品名、絵柄、キャッチフレーズ、懸賞案内などの所望の表示が印刷されている（図示せず）。また、必要に応じて、本体シート片２の裏面にも、所望の表示が印刷されていてもよい。
【００２４】
上記構成からなる首掛けラベル１は、下記のようにして、容器に装着される。
図５及び図６に示すように、首掛けラベル１の延出シート片３の裏面を、接着部５を介して、容器９の蓋部９１の上面に貼り付けると共に、本体シート片２を下方に押し込んで、本体シート片２に形成される装着孔４を、容器９の蓋部９１から容器９の首部９２に外挿し、該首部周りに本体シート片２を位置させる。さらに、本体シート片２の装着孔４の縁部（例えば、延出シート片３の連結部分４ａに対して反対側の装着孔４の他縁部４ｂ）を、容器９の首部９２と蓋部９１の間に存する段部９３の下方に係止させる。
このようにして得られたラベル付き容器１０は、首掛けラベル１の延出シート片３が連結部分４ａに於いて本体シート片２に連結されているので、押し下げられた本体シート片２は、延出シート片３との連結部分４ａが上方に位置し、該連結部分４ａと反対側の部分が下方に位置する。よって、首掛けラベル１は、図５に示すように、本体シート片２の面が容器９の首部９２の軸線方向Ｍ（首部９２の延びる方向）に対して傾斜した状態で装着される。
従って、容器９の正面から見て、本体シート片２の表面の略全体を見渡すことができ（図６参照）、該本体シート片２の表面に施された表示全体を消費者に見せることができる。
【００２５】
上記本体シート片２は、装着孔の一縁部４ａに於いて延出シート片３と連結され、且つ装着孔４の他縁部４ｂに於いて容器９の段部９３に係止されているので、本体シート片２が容器９の首部９２から不用意に外れる虞がない。よって、例えば、ラベル付き容器１０を商品陳列棚などに陳列しておいても、本体シート片２の傾斜面状の装着状態が維持される。
【００２６】
なお、本発明は、上記実施形態に限られず、本発明の意図する範囲で、様々な態様に変更することができる。ただし、下記変形例の説明に於いて、主として上記実施形態と異なる構成及び効果について説明し、上記実施形態と同様の構成などについては、その説明を省略し、用語及び符号を援用することがある。
【００２７】
上記実施形態では、切取線７が平面視略Ｕ字状に形成されている（この場合、延出シート片３は、切取線形状に対応して舌状となる）が、切取線７の平面形状は、例えば、次に示すように様々な態様に変形することもできる。
図７に示す切取線７は、容器の蓋部９１の上面（二点鎖線で示す）の円弧に略一致する一部切欠き円状の第１切取線部７３と、該第１切取線部７３の切欠端に連設され且つ一方向に直線状に延びる２つの第２切取線部７４，７４と、を有するものである。該切取線７の両端部７ａ，７ａは、本体シート片２の縁にまで至らず、切取線７で囲われる延出シート片３は、切取線７の両端部７ａ，７ａの間に於いて本体シート片２に連結されている。
【００２８】
図８に示す切取線７は、容器の蓋部９１の上面（二点鎖線で示す）の円弧よりも小さい半円弧状の第１切取線部７５と、該第１切取線部７５に連設され且つ一方向に直線状に延びる２つの第２切取線部７６，７６と、前記第１切取部７５及び第２切取部７６の任意の位置から径外方向へ延びる第３切取線部７７と、を有するものである。この場合、第１切取線部７５と第２切取線部７６で囲われる内側シート領域が、延出シート片３に相当し、該延出シート片３は、切取線７の両端部７ａ，７ａの間に於いて本体シート片２に連結されている。かかる延出シート片３は、容器の蓋部の上面よりも小さいが、第３切取線７７が形成されているため、延出シート片３を容器の蓋部に貼り付け且つ本体シート片２を押し下げた際、第３切取線部７７に於いて拡がって、容器の蓋部の上面よりも大開口の装着孔４が形成される。従って、首掛けラベル１は、上記実施形態と同様の手順で容器に装着することができる。
なお、装着孔４を容器の首部に外挿する際、第３切取線部７７に於いて拡がる装着孔４の縁部は、シートの剛性によって容器の首部の外面に接触しているので、本体シート片２を容器の首部周りに位置させると、装着孔４の縁部が、容器の段部の下方に確実に係止される。
【００２９】
図９に示す切取線７は、容器９の蓋部９１の上面（二点鎖線で示す）の直径よりも少し長い直線状の第１切取線部７８と、該第１切取線部７８に連設され且つ一方向に延びる２つの第２切取線部７９，７９と、を有し、前記２つの第２切取線部７９，７９が、次第に近ずくように、第１切取線部７８に対して傾斜させて形成されている。該切取線７の両端部７ａ，７ａは、本体シート片２の縁にまで至らず、切取線７で囲われる延出シート片３は、切取線７の両端部７ａ，７ａの間に於いて本体シート片２に連結されている。
この首掛けラベル１は、２つの第２切取線部７９，７９が次第に近ずくように、第１切取線部７８に対して傾斜させて形成されているので、形成される装着孔４は、平面視略台形状となる。従って、上記首掛けラベル１を容器に装着した際、２つの第２切取線部７９，７９に対応する装着孔４の縁部を、容器９の段部９３に係止させることも可能である。
【００３０】
また、上記実施形態では、本体シート片２の裏面は、容器に対して非接着とされているが、例えば、図１０に示すように、本体シート片２の裏面に、容器に接着可能な接着部２１（延出シート片の接着部と区別するため、本体接着部という）が設けられていてもよい。
該本体接着部２１は、本体シート片２の裏面の一部分に形成されるものであり、好ましくは延出シート片３の連結部分４ａと反対側における装着孔４の縁部から本体シート片２の外縁部にかけての裏面領域の全体又は一部に形成される。
具体的には、本体接着部２１は、延出シート片３の連結された縁部（連結部分４ａ）と反対側に於ける装着孔４の縁部４ｂ（延出シート３の延出先端縁部に隣接する装着孔４の縁部４ｂ）を基準として、該装着孔４の縁部４ｂから本体シート片２の径外方向に拡がる本体シート片２の裏面領域に形成されている。
本体接着部２１は、上記実施形態と同様に、感圧型粘着剤、感熱性粘着剤などを用いることができ、感圧型粘着剤を用いる場合には、マスキング層による隠蔽法が好ましい。なお、本体接着部２１が、上記のように装着孔４の縁部４ｂから拡がって形成される場合、この本体接着部２１は、図示したように、延出シート片３に形成された接着部５と連なって設けられていてもよい。
【００３１】
かかる首掛けラベル１は、図１１に示すように、容器９に装着時、本体接着部２１を介して、延出シート片３の連結部分４ａと反対側に於ける本体シート片２の裏面部を、容器９の首部９２に貼り付けることができる。このため、容器９の首部周りに位置する本体シート片２が立ち上がり、容器正面から見て、本体シート片２の表面の視認性が良くなる上、本体シート片２が容器の首部９２から不用意に外れることを防止できる。
【００３２】
さらに、図１２（ａ）に示すように、本体接着部２１は、本体シート片２の裏面であって、延出シート片３の連結部分４ａと反対側に於ける装着孔４の縁部４ｂから本体シート片２の外縁部２ａにかけての帯状領域のうち、該本体シート片２の外縁部２ａを含む部分的な範囲に形成されていてもよい。
かかる首掛けラベル１は、容器に装着時、本体接着部２１を介して、延出シート片３の連結部分４ａと反対側に於ける本体シート片２の外縁部２ａを、容器の肩部（首部が非常に長い容器にあっては該首部。図１２（ｂ）の首掛けラベルも同様）に貼り付けることができる。
さらに、図１２（ｂ）に示すように、本体接着部２１は、本体シート片２の裏面であって、延出シート片３の連結部分４ａと反対側に於ける装着孔４の縁部４ｂから本体シート片２の外縁部２ａにかけての帯状領域全体に形成されていてもよい。
かかる首掛けラベル１は、容器に装着時、本体接着部２１を介して、延出シート片３の連結部分４ａと反対側に於ける本体シート片２の裏面部全体を、容器の首部から肩部に貼り付けることができる。
図１２（ａ）及び（ｂ）に示す首掛けラベル１も、上記変形例と同様に、本体シート片２の表面の視認性の向上、及び本体シート片２の抜け止め防止効果を奏する。
【００３３】
また、上記実施形態において、延出シート片３の一部を分断可能に構成してもよい。例えば、図１３に示すように、延出シート片３の面内に、切取線７のうち半円弧状の第１切取線部７１の両端部に繋がように、切取補助線８を形成する。該切取補助線８は、例えば、ミシン目線が用いられる。かかる首掛けラベル１は、上記実施形態と同様に容器に装着される。この首掛けラベル１は、切取補助線８が形成されているので、容器の蓋部に貼り付けられた延出シート片３を切取補助線８に沿って分断できる。このように分断される延出シート片３の一部（第１切取線部７１と切取補助線８で囲繞されたシート領域）に、例えば、懸賞応募資格や懸賞応募用の数字などを表示しておけば、該分断された延出シート片３の一部を懸賞応募シールとして利用することもできる。
【００３４】
また、上記実施形態では、本体シート片２と延出シート片３は、１枚のシートから一体的に形成されているが、例えば、両者が別体のシートで形成されていてもよい。この場合、本体シート片に形成された装着孔の一縁部に、別体の延出シート片の端部を接着することにより、上記実施形態と同様の首掛けラベル１を構成できる。
【図面の簡単な説明】
【００３５】
【図１】本発明の一実施形態に係る首掛けラベルを表面側から見た平面図。
【図２】同ラベルを裏面側から見た背面図。ただし、接着部を薄墨塗りで示している（図１０（ａ）及び図１２も同様）。
【図３】図２のI−I線断面図。
【図４】同ラベルの延出シート片を、本体シート片から起こした状態を表面側から見た斜視図。
【図５】同ラベルを容器に装着したラベル付き容器の側面図。但し、容器の下方部分は省略している（以下、容器を表した他の図についても同じ）。
【図６】同ラベル付き容器の正面図。
【図７】他の実施形態に係る首掛けラベルを表面側から見た平面図。
【図８】他の実施形態に係る首掛けラベルを表面側から見た平面図。
【図９】他の実施形態に係る首掛けラベルを表面側から見た平面図。
【図１０】（ａ）は、他の実施形態に係る首掛けラベルを裏面側から見た背面図、（ｂ）は、II−II線断面図。
【図１１】図１０に示す首掛けラベルを容器に装着したラベル付き容器の側面図。
【図１２】（ａ）、（ｂ）共に、他の実施形態に係る首掛けラベルを裏面側から見た背面図。
【図１３】他の実施形態に係る首掛けラベルを表面側から見た平面図。
【符号の説明】
【００３６】
１…首掛けラベル、２…本体シート片、２１…本体接着部、３…延出シート片、４…装着孔、４ａ…延出シート片の連結部分、５…接着部、６…シート、７…切取線、９…容器、９１…容器の蓋部、９２…容器の首部、１０…ラベル付き容器
【図１】
2008233633.tif 000003
【図２】
2008233633.tif 000004
【図３】
2008233633.tif 000005
【図４】
2008233633.tif 000006
【図５】
2008233633.tif 000007
【図６】
2008233633.tif 000008
【図７】
2008233633.tif 000009
【図８】
2008233633.tif 000010
【図９】
2008233633.tif 000011
【図１０】
2008233633.tif 000012
【図１１】
2008233633.tif 000013
【図１２】
2008233633.tif 000014
【図１３】
2008233633.tif 000015